(57)【特許請求の範囲】
【請求項１】
矩形板状の導光板の端面に対向配置された光源からの光を導光板の前面側に配設された矩形板状の表示板へ照射する誘導灯であって、導光板の４つの端面それぞれに光源が対向配置され、光源は、導光板の各端面それぞれにおいて導光板の１つの外周方向に沿った方向の一端側に偏らせて配置されてなることを特徴とする誘導灯。
【請求項２】
前記光源を２つずつ点灯させる２つの点灯装置と、前面側に開口部を有し内部に両点灯装置が収納された直方体状の器具本体とを備え、前記光源が線状の放電灯であり、点灯装置を器具本体内部の対向する２つの隅に近づけて配置し、前記光源は、前記光源の低圧側に比べて高圧側が点灯装置に近くなるように配置されてなることを特徴とする請求項１記載の誘導灯。
【請求項３】
前記光源を点灯させる点灯装置と、前面側に開口部を有し内部に点灯装置が収納された直方体状の器具本体と、商用電源の停電時に点灯装置に電力を供給するバックアップ用のバッテリとを備え、前記光源が線状光源であり、バッテリは、前記導光板の４つの端面のうち、対向する２つの端面において前記光源が対向配置されていない位置に、前記光源の長手方向に沿って配置されてなることを特徴とする請求項１記載の誘導灯。
【請求項４】
商用電源の停電時に前記点灯装置に電力を供給するバックアップ用のバッテリを備え、バッテリは、前記光源の低圧側に配置されてなることを特徴とする請求項２又は請求項３記載の誘導灯。
【請求項５】
前記光源を２つずつ点灯させる２つの点灯装置と、前面側に開口部を有し内部に点灯装置が収納された直方体状の器具本体とを備え、前記光源が線状の放電灯であり、点灯装置を器具本体内部の左右両側に１つずつ配置し、器具本体内部の右側に配設された点灯装置が点灯させる前記両光源は前記導光板の中央よりも右側に配置され、器具本体内部の左側に配設された点灯装置が点灯させる前記両光源は前記導光板の中央よりも左側に配置されてなることを特徴とする請求項１記載の誘導灯。
【発明の詳細な説明】
【技術分野】
【０００１】
本発明は、表示板の後面側に導光板が配置され、導光板の端面に光源が対向配置された表示灯の一種である導光方式の誘導灯であって、複数の光源を用いた誘導灯に関するものである。
【背景技術】
【０００２】
昨今、誘導灯は、光源に冷陰極ランプを採用した導光方式の誘導灯が主流になってきている。
【０００３】
正面視形状が正方形状の小型、中型の誘導灯（消防法施行規則第２８条の３及び消防法予２４５号（平成１１年９月２１日）に基づくＡ級〜Ｃ級の区別によるＣ級、Ｂ級の誘導灯）１’としては、例えば、図６に示すように、表示板３’の後面側に設けられた導光板（図示せず）の上端面に導光板の上端面と略同じ長さの直管形の冷陰極ランプ４’が対向配置されたものが知られている。なお、図６中の矢印は、冷陰極ランプ４’からの光の放射方向を示している。
【０００４】
これに対し、大型の誘導灯（上述のＡ級〜Ｃ級の区別によるＡ級の誘導灯）では、一般的に、中型の誘導灯に使用される冷陰極ランプを流用している。
【０００５】
また、誘導灯には、導光板の左右両端面に冷陰極ランプを対向配置させる技術が提案されており（例えば、特許文献１参照）、この技術を使用した大型の誘導灯１には、例えば、図７に示すように、表示板３の後面側に設けられた導光板（図示せず）の右端面に対向する２つの冷陰極ランプ４ａ，４ｃが一直線上に配置され、左端面に対向する２つの冷陰極ランプ４ｂ，４ｄが一直線上に配置されているものがある。なお、図７に示す矢印は、冷陰極ランプ４ｂから放射される光を示している。
【０００６】
ここで、導光板の端面と略同じ長さの冷陰極ランプを用いることも考えられるが、大型の誘導灯１は比較的市場に流通する台数が少ないことから、大型の誘導灯１専用の冷陰極ランプを規格品として設定することはコストなどの観点から望ましくない。
【特許文献１】特開平７−２３９６６３号公報
【発明の開示】
【発明が解決しようとする課題】
【０００７】
しかしながら、図７に示した構成の大型の誘導灯１では、導光板の右端面に対向する２つの冷陰極ランプ４ａ，４ｃを一直線上に配置し、左端面に対向する２つの冷陰極ランプ４ｂ，４ｄを一直線上に配置してあるので、冷陰極ランプ４ａ，４ｃの一端部同士が隣接する非発光部付近に対応する表示板３の右辺の中央部付近と、冷陰極ランプ４ｂ，４ｄの一端部同士が隣接する非発光部付近に対応する表示板３の左辺の中央部付近とに影の部分４０が生じ、表示板３を輝度ムラなく均一に光らせることが困難となっている。なお、導光板の四隅にも冷陰極ランプ４ａ，４ｂ，４ｃ，４ｄの他端部の非発光部が対向するため、表示板３の四隅に影の部分（図示せず）が生じるが、上述の影の部分４０に比べて比較的程度が低く、また、表示板３の四隅に影の部分が生じても、それが表示板３の外観に与える影響は小さい。また、表示板３の四隅に生じる影の部分は、図６に示すような、小型、中型の誘導灯１’でも生じることが多い。
【０００８】
本願発明は、上記事由に鑑みて為されたものであり、その目的は、表示板の輝度ムラを防ぐことにより、誘導灯の表示板の外観を向上させると共に誘導灯に求められる誘導性能をより向上させることにある。
【課題を解決するための手段】
【０００９】
請求項１の発明は、矩形板状の導光板の端面に対向配置された光源からの光を導光板の前面側に配置された矩形板状の表示板へ照射する誘導灯であって、導光板の４つの端面それぞれに光源が対向配置され、光源は、導光板の各端面それぞれにおいて導光板の１つの外周方向に沿った方向の一端側に偏らせて配置されてなることを特徴とする。
【００１０】
この発明によれば、光源を導光板の４つの端面それぞれに対向配置してあるので、各端面それぞれに対向配置された光源の非発光部付近は、他の端面に対向配設された光源からの光が照射されるので、表示板の輝度ムラを防ぐことにより、誘導灯の表示板の外観を向上させると共に誘導灯に求められる誘導性能をより向上させることができる。また、光源の長さを長くすることで表示板の明るさが確保しやすくなる。
【００１２】
また、この発明によれば、光源を導光板の各端面それぞれにおいて導光板の１つの外周方向の一端側に偏らせて配置するので、４つの端面それぞれに対向配置された各光源の非発光部付近は、他の端面に対向配置された光源からの光が照射されるので表示板の輝度ムラが緩和される。
【００１３】
請求項２の発明は、請求項１の発明において、前記光源を２つずつ点灯させる２つの点灯装置と、前面側に開口部を有し内部に両点灯装置が収納された直方体状の器具本体とを備え、前記光源が線状の放電灯であり、点灯装置を器具本体内部の対向する２つの隅に近づけて配置し、前記光源は、前記光源の低圧側に比べて高圧側が点灯装置に近くなるように配置されてなることを特徴とする。
【００１４】
この発明によれば、前記光源が線状の放電灯であり、前記光源を２つずつ点灯させる点灯装置を直方体状の器具本体内部の対向する２つの隅に近づけて配置し、前記光源を低圧側に比べて高圧側が点灯装置に近くなるように配設しているので、前記光源の高圧側と前記点灯装置とを接続するランプ電線を短くすることができ、当該ランプ電線と周辺部材との間の浮遊容量やノイズの影響を小さくし、漏れ電流による前記光源の照度低下や始動性の悪化、耐雑音性能の低下を防止することができる。
【００１５】
請求項３の発明は、請求項１の発明において、前記光源を点灯させる点灯装置と、前面側に開口部を有し内部に点灯装置が収納された直方体状の器具本体と、商用電源の停電時に点灯装置に電力を供給するバックアップ用のバッテリとを備え、前記光源が線状光源であり、バッテリは、前記導光板の４つの端面のうち、対向する２つの端面において前記光源が対向配置されていない位置に、前記光源の長手方向に沿って配置されてなることを特徴とする。
【００１６】
この発明によれば、バッテリを前記導光板の端面に配置するので、器具本体の内部空間を有効に利用することができ、器具本体の天井への直付け又は壁への取付けに使用する取付部用スペースおよび結線用スペースを器具本体内部に確保することができ、施工性が向上する。また、器具本体内部の空間が広がるため、点灯装置の容量を大きくすることができ、その分、点灯装置のコストを低減することができる。また、バッテリは、器具本体の開口部に近づけて配置することができるため、バッテリの交換作業の作業性を向上させることができる。
【００１７】
請求項４の発明は、請求項２又は請求項３の発明において、商用電源の停電時に前記点灯装置に電力を供給するバックアップ用のバッテリを備え、バッテリは、前記光源の低圧側に配置されてなることを特徴とする。
【００１８】
この発明によれば、前記点灯装置を前記光源の高圧側に配置するので、前記光源の低圧側は前記点灯装置の発熱の影響が小さく、周囲温度が前記光源の高圧側に比べて比較的低くなり、この前記光源の低圧側にバッテリを配置することで、バッテリの温度上昇を抑えることができる。また、バッテリの温度上昇を抑えた分、前記器具本体の小型化が可能となる。
【００１９】
請求項５の発明は、請求項１の発明において、前記光源を２つずつ点灯させる２つの点灯装置と、前面側に開口部を有し内部に点灯装置が収納された直方体状の器具本体とを備え、前記光源が線状の放電灯であり、点灯装置を器具本体内部の左右両側に１つずつ配置し、器具本体内部の右側に配設された点灯装置が点灯させる前記両光源は前記導光板の中央よりも右側に配置され、器具本体内部の左側に配設された点灯装置が点灯させる前記両光源は前記導光板の中央よりも左側に配置されてなることを特徴とする。
【００２０】
この発明によれば、点灯装置に電力を供給する電源線と、前記光源と点灯装置とを接続するランプ電線との間の距離をより長くすることができるので、電源線とランプ電線とがお互いに及ぼし合う影響を緩和することが可能となる。また、器具本体内の配線を左右に明確に分離することができるので、製造時の組み立て作業の煩雑さを防止することができる。
【発明の効果】
【００２１】
請求項１の発明によれば、光源を導光板の４つの端面それぞれに対向配置してあるので、各端面それぞれに対向配置された光源の非発光部付近は、他の端面に対向配設された光源からの光が照射されるので、表示板の輝度ムラを防ぐことにより、誘導灯の表示板の外観を向上させると共に誘導灯に求められる誘導性能をより向上させることができる。
【発明を実施するための最良の形態】
【００２２】
（実施形態１）
本実施形態の誘導灯１は、図１（ａ）に示すように、前面側に開口部を有する直方体状の器具本体２と、器具本体２の前面側に配置される矩形板状の表示板３と、表示板３と略同じ大きさの矩形板状に形成され表示板３の後面側に配設される導光板５と、導光板５の４つの端面それぞれに対向配置された線状の放電灯である冷陰極ランプ（光源）４ａ，４ｂ，４ｃ，４ｄとを備え、表示板３および導光板５が、前面側に矩形状の開口部を有する枠３１によって器具本体２に取り付けられる。また、器具本体２には、図１（ａ）に示すように、商用電源から電力供給を受けて２つずつの冷陰極ランプ４ａ，４ｃ、４ｂ，４ｄを点灯させる２つの点灯装置７ａ，７ｂが収納されている。なお、本実施形態では、各冷陰極ランプ４ａ，４ｂ，４ｃ，４ｄそれぞれが線状光源を構成している。
【００２３】
導光板５において冷陰極ランプ４ｂ，４ｃが対向配置された２つの端面には、図１（ｂ）に示すように、商用電源の停電時に、点灯装置７ａ，７ｂに電力を供給するバックアップ用のバッテリ６，６が冷陰極ランプ４ｂ，４ｃの隣で対向配置されている。
【００２４】
また、本実施形態の誘導灯１は、大型の誘導灯（Ａ級誘導灯）１であって、各冷陰極ランプ４ａ，４ｂ，４ｃ，４ｄの長さは導光板５の一辺の長さの略半分の長さとなっている。そして、冷陰極ランプ４ａ，４ｂ，４ｃ，４ｄは、導光板５の各端面それぞれにおいて導光板５の１つの外周方向に沿った一端側に偏らせて対向配置されている。また、導光板５の左右端面において冷陰極ランプ４ｂ，４ｃが対向配置されていない位置に、冷陰極ランプ４ｂ，４ｃの長手方向に沿ってバッテリ６，６が対向配置されている。
【００２５】
本実施形態では、図１（ｂ）に示すように、導光板５の各端面に対向配置された冷陰極ランプ４ａ，４ｂ，４ｃ，４ｄから出射した光が、導光板５内で９０度ずつ交差して照射されるので、各冷陰極ランプ４ｃ，４ａ，４ｄ，４ｂの非発光部付近、特に、長手方向の一端の支持部４１ｃ，４１ａ，４１ｄ，４１ｂ付近に光が照射されるので、表示板３の輝度ムラを緩和することができる。なお、図１（ｂ）中の矢印は、冷陰極ランプ４ｂからの光の放射方向を示している。
【００２６】
また、本実施形態では、図１（ｂ）に示すように、バッテリ６，６を冷陰極ランプ４ｂ，４ｃが対向する導光板５の左右端面の冷陰極ランプ４ｂ，４ｃが対向配置されていない位置に冷陰極ランプ４ｂ，４ｃの長手方向に沿って配置するので、器具本体２内にバッテリ６，６を配設する為の空間が不要であり、例えば、器具本体２の天井への直付け又は壁への取付けに使用する取付部用スペースまたは結線用スペースを器具本体２内部に確保することができ、施工性を向上させることができる。また、点灯装置７ａ，７ｂの収納用の空間をより広く確保することができるので、点灯装置７ａ，７ｂの容量を大きくすることができる。一般的に、当該点灯装置７ａ，７ｂに使用する部品は小型のものほど高価になる傾向があるが、点灯装置７ａ，７ｂの容量を大きくすることにより、当該点灯装置７ａ，７ｂに使用する部品を小型化する必要がなくなり、点灯装置７ａ，７ｂのコスト削減が図れる。また、バッテリ６，６を器具本体２の開口部付近に配置することができるので、バッテリ６，６の交換作業が容易になる点でも有利である。
【００２７】
また、本実施形態は、冷陰極ランプ４ａ，４ｂ，４ｃ，４ｄを導光板５の４つの端面に対向配置するものであれば、上述のように導光板５の１つの外周方向に沿った一端側に偏らせて対向配置されているものに限られず、例えば、図２に示すように、各端面の中央部に冷陰極ランプ４ａ，４ｂ，４ｃ，４ｄを対向配置させるものであってもよい。また、冷陰極ランプ４ａ，４ｂ，４ｃ，４ｄの長さを長くすることで表示板３の輝度を向上させることができる。
【００２８】
（実施形態２）
ところで、実施形態１のように、光源として線状の放電灯である冷陰極ランプ４ａ，４ｂ，４ｃ，４ｄを使用する場合、各冷陰極ランプ４ａ，４ｂ，４ｃ，４ｄは高周波電力の供給を受けて点灯するので、点灯装置７ａ，７ｂと冷陰極ランプ４ａ，４ｂ，４ｃ，４ｄの高圧側とを接続するランプ電線（以下、高圧側ランプ電線という）および点灯装置７ａ，７ｂと冷陰極ランプ４ａ，４ｂ，４ｃ，４ｄの低圧側とを接続するランプ電線（以下、低圧側ランプ電線という）とこれらの周辺部材との間の浮遊容量に起因した漏れ電流による始動性の悪化、照度の低下などに注意が必要となる。特に、冷陰極ランプ４ａ，４ｂ，４ｃ，４ｄの高圧側に接続される高圧側ランプ電線と上述の周辺部材との間の浮遊容量が冷陰極ランプ４ａ，４ｂ，４ｃ，４ｄの点灯動作に与える影響は大きい。また、上述の周辺部材からのノイズの影響により、耐雑音性能が低下することにも注意する必要もある。これらを考慮すると高圧側ランプ電線は極力短くすることが必要とされる。
【００２９】
そこで、本実施形態の誘導灯１は、図３に示すように、直方体状の点灯装置７ａ，７ｂを、直方体状の器具本体２内部の対向する２つの隅に近づけて配設し、冷陰極ランプ４ａ，４ｂ，４ｃ，４ｄを低圧側に比べて高圧側が点灯装置７ａ，７ｂに近くなるように配置してある。
【００３０】
具体的には、冷陰極ランプ４ａは、図３における左側の支持部４１ａ側が高圧側となるように配置され、冷陰極ランプ４ｂは同図における上側の支持部４２ｂ側が高圧側となるように配置され、冷陰極ランプ４ｃは、同図における下側の支持部４２ｃ側が高圧側となるように配置され、冷陰極ランプ４ｄは、同図における右側の支持部４１ｄ側が高圧側となるように配置され、点灯装置７ａは、器具本体２内部の右下隅に近い位置に、ランプ電線７１ｃ，７２ｃ，７１ｄ，７２ｄが導出されているランプ電線導出部７３ａが設けられた側面が器具本体２の下側の内壁に対向するように配設されている。一方、点灯装置７ｂは、図３に示すように、器具本体２内部の左上隅に近い位置に、ランプ電線７１ａ，７２ａ，７１ｂ，７２ｂが導出されているランプ電線導出部７３ｂが設けられた側面が器具本体２の上側の内壁に対向するように配設されている。また、バッテリ６，６から導出された電線６１は点灯装置７ａ，７ｂに接続されている。なお、図３において、実施形態１と同様の構成要素には同一の符号を付して説明を省略する。
【００３１】
しかして、本実施形態では、点灯装置７ｂのランプ電線導出部７３ｂと冷陰極ランプ４ａの高圧側の支持部４１ａおよび冷陰極ランプ４ｂの高圧側の支持部４２ｂを近づけることにより、高圧側ランプ電線７１ａ，７１ｂをより短くすることができるので、高圧側ランプ電線７１ａ，７１ｂと上述の周辺部材との間の浮遊容量に起因した高圧側ランプ電線７１ａ，７１ｂからの漏れ電流による冷陰極ランプ４ａ，４ｂの照度低下や始動性の悪化を防止することができる。また、上述の周辺部材からのノイズの影響を少なくし、耐雑音性能の低下を防ぐこともできる。また、点灯装置７ａのランプ電線導出部７３ａと冷陰極ランプ４ｃの高圧側の支持部４２ｃおよび冷陰極ランプ４ｄの高圧側の支持部４１ｄを近づけることについても、上述と同様である。
【００３２】
また、誘導灯１においては、バッテリ６，６の温度上昇が課題となる場合が多いが、本実施形態では、バッテリ６，６を点灯装置７ａ，７ｂからの発熱の影響が小さい空間に配置することで、バッテリ６，６の温度上昇を抑えることができる。
【００３３】
具体的には、点灯装置７ａを冷陰極ランプ４ｃ，４ｄの高圧側の支持部４２ｃ，４１ｄに近接して配設し、点灯装置７ｂを冷陰極ランプ４ａ，４ｂの高圧側の支持部４１ａ，４２ｂに近接して配設することで、冷陰極ランプ４ａ，４ｂ，４ｃ，４ｄの低圧側の支持部４２ａ，４１ｂ，４１ｃ，４２ｄ付近を、支持部４１ａ，４２ｂ，４２ｃ，４１ｄ付近に比べて点灯装置７ａ，７ｂの発熱による影響を小さくし、支持部４１ａ，４２ｂ，４２ｃ，４１ｄ付近に比べて周囲温度を比較的低く抑えることができる。そして、支持部４２ａ，４１ｃ付近と支持部４１ｂ，４２ｄ付近の導光板５の端面にバッテリ６，６をそれぞれ配置することで、バッテリ６，６の温度上昇を抑えることを可能としている。また、バッテリ６，６の温度上昇を抑えた分、器具本体２を小型化することが可能となる。
【００３４】
（実施形態３）
ところで、実施形態２で説明した浮遊容量やノイズの影響は点灯装置７ａ，７ｂに電力を供給する電源線９についても注意する必要がある。これらを考慮すると電源線９とランプ電線７１ａ，７１ｂ，７１ｃ，７１ｄ，７２ａ，７２ｂ，７２ｃ，７２ｄとの距離は極力長くすることが必要とされる。
【００３５】
そこで、本実施形態の誘導灯１の基本構成は、実施形態２と略同じであって、図４に示すように、直方体状の器具本体２内部の中央より右側に配設された直方体状の点灯装置７ａが、冷陰極ランプ４ａ，４ｃを点灯させ、器具本体２内部の中央より左側に配設された直方体状の点灯装置７ｂは、冷陰極ランプ４ｂ，４ｄを点灯させる。なお、実施形態２と同様の構成要素には同一の符号を付して説明を省略する。
【００３６】
具体的には、冷陰極ランプ４ａは、図４における左側の支持部４１ａが低圧側、冷陰極ランプ４ｃは、同図における下側の支持部４２ｃが低圧側となるように配置され、冷陰極ランプ４ｂは、同図における上側の支持部４２ｂが低圧側となるように配置され、冷陰極ランプ４ｄは、同図における右側の支持部４１ｄが低圧側となるように配置されている。
点灯装置７ａは、直方体状の器具本体２内部の右上隅に近い位置に、ランプ電線７１ａ，７２ａ，７１ｃ，７２ｃが導出されているランプ電線導出部７３ａが設けられた側面が器具本体２の右側の内壁に対向するように配設されている。一方、点灯装置７ｂは、器具本体２内部の左下隅に近い位置に、ランプ電線７１ｂ，７２ｂ，７１ｄ，７２ｄが導出されているランプ電線導出部７３ｂが設けられた側面が器具本体２の左側の内壁に対向するように配設されている。また、正面視略正方形状の電源線接続部１０は、器具本体２内部において点灯装置７ａの左側であり、かつ、点灯装置７ｂの上側であって、左端部が器具本体２の略中央となる位置に配設されており、電源線９は、器具本体２の上端部の中央部付近の支持部４１ａ付近から器具本体２の内側へ引き込み、電源線接続部１０と接続されている。
【００３７】
しかして、本実施形態では、図４に示すように、電源線９と冷陰極ランプ４ａ，４ｂ，４ｃ，４ｄの高圧側ランプ電線７１ａ，７１ｂ，７１ｃ、７１ｄとの間の距離をより長くすることができるので、高圧側ランプ電線７１ａ，７１ｂ，７１ｃ、７１ｄと電源線９とがお互いに及ぼす影響を緩和することができる。
【００３８】
また、本実施形態は、点灯装置７ａと、冷陰極ランプ４ａ，４ｃと、ランプ電線７１ａ，７１ｃ，７２ａ，７２ｃとを器具本体２の中央よりも右側に配置し、一方、点灯装置７ｂと、冷陰極ランプ４ｂ，４ｄと、ランプ電線７１ｂ，７１ｄ，７２ｂ，７２ｄとを器具本体２の中央よりも左側に配置するので、器具本体２内の配線を左右に明確に分離することができ、誘導灯１の製造時の組み立て作業の煩雑さを防止できる。
【００３９】
（実施形態４）
ところで、通常、施工時には、図４に示した誘導灯１のように、電源線９の引き込み部は器具本体２の中央部に設けてあることが望ましく、器具本体２内の電源線接続部１０は上記引き込み部近傍に設けてあることが望ましい。しかしながら、このような配置では、電源線９と冷陰極ランプ４ａの低圧側ランプ電線７２ａとが近接することがあり、低圧側ランプ電線７２ａは、冷陰極ランプ４ａの低圧側に接続されるものであっても電源線９と近接するのは望ましくない。
【００４０】
これに対して、本実施形態の誘導灯１の基本構成は実施形態３と略同じであって、図５に示すように、電源線９と冷陰極ランプ４ａの低圧側に接続されるランプ電線７２ａとが近接しないように、電源線９を冷陰極ランプ４ａの支持部４１ａの左側を迂回させて器具本体２の内側へ引き込むようにしてある。なお、図４と同様の構成については同一の符号を付して説明を省略する。しかして、本実施形態では、電源線９と低圧側ランプ電線７２ａとの間の距離をより長くすることができる。なお、器具本体２は、取り付け用ボックス部２１を介して天井へ直付けされている。
【図面の簡単な説明】
【００４１】
【図１】実施形態１の誘導灯を示し、（ａ）は概略分解斜視図であり、（ｂ）は導光板等の位置関係を示した説明図である。
【図２】同上の導光板と冷陰極ランプ（光源）との位置関係を示した説明図である。
【図３】実施形態２の誘導灯を示す要部概略正面図である。
【図４】実施形態３の誘導灯を示す要部概略正面図である。
【図５】実施形態４の誘導灯を示す要部概略正面図である。
【図６】従来例の要部概略説明図である。
【図７】他の従来例の要部概略説明図である。
【符号の説明】
【００４２】
１  誘導灯
２  器具本体
３  表示板
４ａ，４ｂ，４ｃ，４ｄ  冷陰極ランプ（光源）
５  導光板
６  バッテリ
７ａ，７ｂ  点灯装置
３１  枠
【図１】
0004976960.tif 000002
【図２】
0004976960.tif 000003
【図３】
0004976960.tif 000004
【図４】
0004976960.tif 000005
【図５】
0004976960.tif 000006
【図６】
0004976960.tif 000007
【図７】
0004976960.tif 000008